(57)【要約】【課題】ジョブの処理能力をさらに向上させる。【解決手段】モード構成管理部１１９により、それぞれ異なる機能毎に使用する画像メモリー１１５の領域の割り当てを示すモードを構成し、メモリー管理部１１８により、モード選択画面で選択されたモードに基づき、画像メモリー１１５に対して領域を割り当て、ＥＥＰＲＯＭ１１６により、機能毎の使用履歴を記憶し、システム制御部１２２により、たとえば使用履歴の合計が一定数に達すると、使用履歴から求めた領域毎の使用頻度をモード構成管理部１１９に与え、新規モードの構成を指示する。また、モード構成管理部１１９は領域毎の使用頻度を元に、領域の新たな割り当てを示す新規モードを構成し、システム制御部１２２は新規モードをモード選択画面に表示させる。【選択図】図１
2019036905.tif 000002
【特許請求の範囲】
【請求項１】
それぞれ異なる機能毎に使用する画像メモリーの領域の割り当てを示すモードを構成するモード構成管理部と、
前記モードのモード選択画面を表示するパネル部と、
前記モード選択画面で選択されたモードに基づき、前記画像メモリーに対して前記領域を割り当てるメモリー管理部と、
前記機能毎の使用履歴を記憶する記憶デバイスと、
特定の条件を満たせば、前記使用履歴から求めた前記領域毎の使用頻度を前記モード構成管理部に与え、新規モードの構成を指示するシステム制御部とを備え、
前記モード構成管理部は、前記領域毎の使用頻度を元に、前記領域の新たな割り当てを示す新規モードを構成し、
前記システム制御部は、前記新規モードを前記モード選択画面に表示させる
ことを特徴とする電子機器。
【請求項２】
前記モード構成管理部は、前記領域毎の使用頻度に合わせた比率で、前記領域の新たな割り当てを示す新規モードを構成することを特徴とする請求項１に記載の電子機器。
【請求項３】
前記モード構成管理部は、前記領域毎の使用頻度に合わせた比率を求め、さらに前記使用頻度の最も低い領域の比率の一部を、前記使用頻度の最も高い領域の比率に加えて変更した比率で、前記領域の新たな割り当てを示す新規モードを構成することを特徴とする請求項１に記載の電子機器。
【請求項４】
前記特定の条件は、前記使用履歴の合計が一定数に達したことである
ことを特徴とする請求項１に記載の電子機器。
【請求項５】
前記特定の条件は、前記電子機器の電源がＯＦＦモードからＯＮモードに移行したことである
ことを特徴とする請求項１に記載の電子機器。
【請求項６】
前記特定の条件は、前回の一定期間が経過してから更に一定期間が経過したことである
ことを特徴とする請求項１に記載の電子機器。
【請求項７】
電子機器を制御するコンピューターに実行させるメモリー管理プログラムであって、
モード構成管理部により、それぞれ異なる機能毎に使用する画像メモリーの領域の割り当てを示すモードを構成する工程と、
パネル部により、前記モードのモード選択画面を表示する工程と、
メモリー管理部により、前記モード選択画面で選択されたモードに基づき、前記画像メモリーに対して前記領域を割り当てる工程と、
記憶デバイスにより、前記機能毎の使用履歴を記憶する工程と、
システム制御部により、前記使用履歴の合計が一定数に達すると、前記使用履歴から求めた前記領域毎の使用頻度を前記モード構成管理部に与え、新規モードの構成を指示する工程とを有し、
前記モード構成管理部は、前記領域毎の使用頻度を元に、前記領域の新たな割り当てを示す新規モードを構成し、
前記システム制御部は、前記新規モードを前記モード選択画面に表示させる
ことを特徴とするメモリー管理プログラム。
【発明の詳細な説明】
【技術分野】
【０００１】
本発明は、画像メモリーを搭載した電子機器及びメモリー管理プログラムに関する。
【背景技術】
【０００２】
たとえば、電子機器の一つである、ＭＦＰ(Multifunction Peripheral)等の画像形成装置においては、印刷機能、コピー機能、ＦＡＸ(Facsimile)機能、スキャナー機能、ネットワーク経由でのデータ送受信機能等が搭載されている機種がある。また、これらの各種機能を備えた画像形成装置では、画像処理で用いられる画像メモリーを効率的に使用することで、各種ジョブの処理能力が高められている。
【０００３】
このような画像メモリーの使用に関するものとして、特許文献１では、画像の処理に使用される画像メモリーと、画像メモリーにおいて複数の役割に対して領域を割り当てる領域割当手段と、領域割当手段によって割り当てられた領域を使用してジョブを処理するジョブ処理手段と、画像メモリーにおける領域の配分が異なりジョブの種類毎に設定された複数のモードを記憶するモード記憶手段と、ジョブ処理手段によって処理されたジョブの履歴を保存する履歴保存手段と、履歴保存手段によって保存された履歴に基づいて複数のモードから１つのモードを選択するモード選択手段とを備え、領域割当手段は、モード選択手段によって選択されたモードで領域を割り当てる画像形成装置を提案している。
【先行技術文献】
【特許文献】
【０００４】
【特許文献１】特開２０１１−２５０２１０号公報
【発明の概要】
【発明が解決しようとする課題】
【０００５】
上述した特許文献１の画像形成装置では、印刷機能、コピー機能、ＦＡＸ機能、スキャナー機能等のそれぞれの機能に適した画像メモリーにおける領域の割り当てを示す優先モードをジョブの履歴に応じて選択し、選択した優先モードで画像メモリーの領域を割り当てるので、ジョブの処理能力を向上させることができる。
【０００６】
ところで、たとえば特定の機能の使用が集中し、その特定の機能で使用される画像メモリーの領域の使用頻度が高くなっている場合、使用頻度が高くなっている領域を広げるように変更すると、ジョブの処理能力をさらに向上させることができるものと考えられる。
【０００７】
ところが、特許文献１の画像形成装置では、それぞれの機能に適した優先モードでの画像メモリーにおける領域の割り当てが固定化されている。このため、たとえば特定の機能の使用が集中した場合であっても、優先モードでの画像メモリーにおける領域の割り当てを変更できないことから、ジョブの処理能力をさらに向上させることができないという問題がある。
【０００８】
本発明は、このような状況に鑑みてなされたものであり、上記問題点を解消することができる電子機器及びメモリー管理プログラムを提供することを目的とする。
【課題を解決するための手段】
【０００９】
本発明の電子機器は、それぞれ異なる機能毎に使用する画像メモリーの領域の割り当てを示すモードを構成するモード構成管理部と、前記モードのモード選択画面を表示するパネル部と、前記モード選択画面で選択されたモードに基づき、前記画像メモリーに対して前記領域を割り当てるメモリー管理部と、前記機能毎の使用履歴を記憶する記憶デバイスと、特定の条件を満たせば、前記使用履歴から求めた前記領域毎の使用頻度を前記モード構成管理部に与え、新規モードの構成を指示するシステム制御部とを備え、前記モード構成管理部は、前記領域毎の使用頻度を元に、前記領域の新たな割り当てを示す新規モードを構成し、前記システム制御部は、前記新規モードを前記モード選択画面に表示させることを特徴とする。
また、前記モード構成管理部は、前記領域毎の使用頻度に合わせた比率で、前記領域の新たな割り当てを示す新規モードを構成することを特徴とする。
また、前記モード構成管理部は、前記領域毎の使用頻度に合わせた比率を求め、さらに前記使用頻度の最も低い領域の比率の一部を、前記使用頻度の最も高い領域の比率に加えて変更した比率で、前記領域の新たな割り当てを示す新規モードを構成することを特徴とする。
また、前記特定の条件は、前記使用履歴の合計が一定数に達したことであることを特徴とする。
また、前記特定の条件は、前記電子機器の電源がＯＦＦモードからＯＮモードに移行したことであることを特徴とする。
また、前記特定の条件は、前回の一定期間が経過してから更に一定期間が経過したことであることを特徴とする請求項１に記載の電子機器。
本発明のメモリー管理プログラムは、電子機器を制御するコンピューターに実行させるメモリー管理プログラムであって、モード構成管理部により、それぞれ異なる機能毎に使用する画像メモリーの領域の割り当てを示すモードを構成する工程と、パネル部により、前記モードのモード選択画面を表示する工程と、メモリー管理部により、前記モード選択画面で選択されたモードに基づき、前記画像メモリーに対して前記領域を割り当てる工程と、記憶デバイスにより、前記機能毎の使用履歴を記憶する工程と、システム制御部により、前記使用履歴の合計が一定数に達すると、前記使用履歴から求めた前記領域毎の使用頻度を前記モード構成管理部に与え、新規モードの構成を指示する工程とを有し、前記モード構成管理部は、前記領域毎の使用頻度を元に、前記領域の新たな割り当てを示す新規モードを構成し、前記システム制御部は、前記新規モードを前記モード選択画面に表示させることを特徴とする。
本発明の電子機器及びメモリー管理プログラムでは、モード構成管理部により、それぞれ異なる機能毎に使用する画像メモリーの領域の割り当てを示すモードを構成し、パネル部により、モードのモード選択画面を表示し、メモリー管理部により、モード選択画面で選択されたモードに基づき、画像メモリーに対して領域を割り当て、記憶デバイスにより、機能毎の使用履歴を記憶し、システム制御部により、たとえば使用履歴の合計が一定数に達すると、使用履歴から求めた領域毎の使用頻度をモード構成管理部に与え、新規モードの構成を指示する。また、モード構成管理部は領域毎の使用頻度を元に、領域の新たな割り当てを示す新規モードを構成し、システム制御部は新規モードをモード選択画面に表示させる。
このように、モード構成管理部が領域毎の使用頻度を元に、領域の新たな割り当てを示す新規モードを構成することで、たとえば特定の機能の使用が集中し、その特定の機能で使用される画像メモリーの領域の使用頻度が高くなっている場合、使用頻度が高くなっている領域を広げるように画像メモリーの領域の割り当てを変更できる。
【発明の効果】
【００１０】
本発明の電子機器及びメモリー管理プログラムによれば、使用頻度が高くなっている領域を広げるように画像メモリーの領域の割り当てを変更できるので、ジョブの処理能力をさらに向上させることができる。
【図面の簡単な説明】
【００１１】
【図１】本発明の電子機器をＭＦＰに適用した場合の一実施形態を説明するための図である。
【図２】図１のパネル部に表示されるモード選択画面の一例について説明するための図である。
【図３】図１のモード構成管理部によるモードの構成について説明するものであって、図３（ａ）は画像メモリーにおける機能毎の使用頻度を説明するための図であり、図３（ｂ）は図３（ａ）の使用頻度に基づいた新規モードの構成について説明するための図である。
【図４】図１の画像メモリーの領域の割り当て処理を説明するためのフローチャートである。
【発明を実施するための形態】
【００１２】
以下、本発明の電子機器の一実施形態を、図１〜図４を参照しながら説明する。なお、以下の説明においての電子機器の一例としては、たとえば印刷機能、コピー機能、ＦＡＸ(Facsimile)機能、スキャナー機能、ネットワーク経由でのデータ送受信機能等を搭載した複合的な周辺機器であるＭＦＰ(Multifunction Peripheral)であるものとする。
【００１３】
まず、図１に示すように、ＭＦＰ１００は、スキャナー部１０１、プリンター部１０２、ＦＡＸ部１０３、Ｉ／Ｆ（インターフェース）１０４、パネル部１０５及びＨＤＤ１０６の動作を制御する制御部１１０を備えている。
【００１４】
スキャナー部１０１は、イメージセンサ（図示省略）によって読み取られる、図示しない用紙上の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１５】
Ｉ／Ｆ１０４は、ネットワークを介し、図示しない他のＭＦＰやユーザー端末等との通信を受け持つ。なお、Ｉ／Ｆ１０４は、図示しないコンテンツサーバーやウェブサーバー等との通信を受け持ってもよい。パネル部１０５は、たとえばＭＦＰ１００の印刷機能、コピー機能、ＦＡＸ機能、スキャナー機能、ネットワーク経由でのデータ送受信機能や、各種設定のための表示を行うタッチパネルとハードウェアキーとを有するデバイスである。また、パネル部１０５は、後述の図２に示すモード選択画面１０５Ａを表示する。ＨＤＤ１０６は、ＭＦＰ１００の種々の機能を提供するためのアプリケーションプログラム等を記憶している記憶デバイスである。また、ＨＤＤ１０６は、ユーザー端末側から登録された印刷ジョブを記憶するユーザーボックスを有している。
【００１６】
制御部１１０は、認証プログラム等のアプリケーションプログラム、画像形成プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、画像メモリー１１５、ＥＥＰＲＯＭ(electrically erasable and programmable read-only memory)１１６、画像処理部１１７、メモリー管理部１１８、モード構成管理部１１９、パネル操作制御部１２０、ＨＤＤ制御部１２１、システム制御部１２２を備えている。また、これらは、データバス１２３に接続されている。
【００１７】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク経由でのデータ等の送受信の制御を行う。画像メモリー１１５は、プログラムを実行するためのワークメモリーであり、詳細については後述するが、メモリー管理部１１８により、たとえば印刷機能、コピー機能、ＦＡＸ機能、スキャナー機能での使用に適した領域が割り当てられる。ＥＥＰＲＯＭ１１６には、各部の動作チェックや起動シーケンスを生成する制御プログラム等が記憶されている。また、ＥＥＰＲＯＭ１１６には、たとえば印刷機能、コピー機能、ＦＡＸ機能、スキャナー機能のそれぞれの使用履歴と画像メモリー１１５の領域毎の使用頻度とが記憶される。
【００１８】
なお、印刷機能、コピー機能、ＦＡＸ機能、スキャナー機能のそれぞれの使用履歴と画像メモリー１１５の領域毎の使用頻度とについては、ＥＥＰＲＯＭ１１６に限らず、ＨＤＤ１０６に記憶させてもよい。また、画像メモリー１１５の領域毎の使用頻度とは、たとえば印刷機能、コピー機能、ＦＡＸ機能、スキャナー機能のそれぞれの使用履歴の合計を一定数（たとえば１００）とし、その一定数でのそれぞれの機能が使用する画像メモリー１１５の領域毎の使用回数である。よって、画像メモリー１１５の領域毎の使用頻度は、ＥＥＰＲＯＭ１１６が記憶しているそれぞれの機能の使用履歴から求めることができる。なお、それぞれの機能の使用履歴の合計については、一定期間毎（たとえば１ヶ月毎、３ヶ月毎、６ヶ月毎等）で集計してもよい。
【００１９】
画像処理部１１７は、スキャナー部１０１によって読み取られた画像データに対する画像処理（ラスタライズ）を行う。また、画像処理部１１７は、ＨＤＤ１０６のユーザーボックスに登録された印刷ジョブに対する画像処理（ラスタライズ）を行う。なお、システム制御部１２２は、画像処理部１１７が画像処理した印刷データを、一旦、画像メモリー１１５に記憶させる。
【００２０】
メモリー管理部１１８は、詳細については後述するが、システム制御部１２２の指示に従い、画像メモリー１１５の領域の割り当てを行う。モード構成管理部１１９は、詳細については後述するが、メモリー管理部１１８に対して画像メモリー１１５の領域の割り当てを行わせるためのモードの構成と、構成したモードの管理とを行う。また、モード構成管理部１１９は、後述の図２に示すモード選択画面１０５Ａを構成し管理する。パネル操作制御部１２０は、パネル部１０５の表示動作を制御する。また、パネル操作制御部１２０は、パネル部１０５を介し、印刷、コピー、ＦＡＸ、スキャン、ネットワーク経由でのデータ送受信等の設定を受け付ける。また、パネル操作制御部１２０は、パネル部１０５を介し、モード選択を受け付ける。
【００２１】
ＨＤＤ制御部１２１は、ＨＤＤ１０６に対するデータの読み出し及び書き込み等を制御する。システム制御部１２２は、各部の連携動作等を制御する。また、システム制御部１２２は、パネル操作制御部１２０がパネル部１０５を介してモード選択を受け付けると、メモリー管理部１１８に対し、画像メモリー１１５の領域の割り当てを指示する。また、システム制御部１２２は、ＥＥＰＲＯＭ１１６に対し、たとえば印刷機能、コピー機能、ＦＡＸ機能、スキャナー機能のそれぞれの使用履歴と画像メモリー１１５の領域毎の使用頻度とを記憶させる。また、システム制御部１２２は、詳細については後述するが、たとえば印刷機能、コピー機能、ＦＡＸ機能、スキャナー機能のそれぞれの使用履歴の合計が一定数（たとえば１００）に達すると、モード構成管理部１１９に対して新規モードを構成させる。なお、使用履歴の合計については、１００に限るものではなく、１００未満であってよいし、１００を超えていてもよい。
【００２２】
次に、図２を参照し、パネル部１０５に表示されるモード選択画面１０５Ａの一例について説明する。なお、以下では、説明の都合上、画像メモリー１１５のサイズがたとえば１００ＭＢ（メガバイト）であるとして説明する。また、モード選択画面１０５Ａに表示される、後述の現行モード、モードＡ、モードＢ、モードＣ、モードＤは、たとえば印刷機能、コピー機能、ＦＡＸ機能、スキャナー機能のそれぞれの使用履歴の合計が一定数（たとえば１００）に達した際、システム制御部１２２の指示に基づきモード構成管理部１１９が構成したものである。また、モード構成管理部１１９による新規モードの構成については、後述の図３で説明する。
【００２３】
まず、モード選択画面１０５Ａには、たとえば標準モード、現行モード、モードＡ、モードＢ、モードＣ、モードＤが表示される。また、符号１０５ａ〜１０５ｆは、それぞれのモードの表示領域を示している。また、符号１１５ａ〜１１５ｄは、メモリー管理部１１８が画像メモリー１１５に割り当てる機能毎の領域を示している。
【００２４】
ここで、標準モードは、モード構成管理部１１９がデフォルトとして管理するものである。標準モードでは、メモリー管理部１１８が画像メモリー１１５に対して割り当てるそれぞれの機能毎の領域１１５ａ〜１１５ｄのサイズが２５ＭＢとなっている。現行モードは、メモリー管理部１１８による画像メモリー１１５に対しての現在の領域１１５ａ〜１１５ｄの割り当てを示している。なお、現行モードは、モード構成管理部１１９が構成した新規モードから選択されたものである。現行モードでは、印刷機能の領域１１５ａが２３ＭＢ、コピー機能の領域１１５ｂが２７ＭＢ、ＦＡＸ機能の領域１１５ｃが２３ＭＢ、スキャナー機能の領域１１５ｄが２７ＭＢとして割り当てられている。
【００２５】
モードＡ〜Ｄは、現行モードと同様に、モード構成管理部１１９が構成した新規モードである。モードＡ〜Ｄの並び順については、モード構成管理部１１９による構成の新しい順であってもよいし、古い順であってもよい。また、モードＡ〜Ｄの数については、モードＡ〜Ｄの４つに限定されるものではない。３つ以下であってもよいし、５つ以上であってもよい。また、表示可能又は選択可能な新規モードの数に上限を設けても良い。新規モードの数が上限を超えた場合、モード構成管理部１１９は、最も古い新規モードを削除しても良い。
【００２６】
モードＡでは、印刷機能の領域１１５ａが４２ＭＢ、コピー機能の領域１１５ｂが３０ＭＢ、ＦＡＸ機能の領域１１５ｃが１６ＭＢ、スキャナー機能の領域１１５ｄが１２ＭＢとして割り当てられることを示している。モードＢでは、印刷機能の領域１１５ａが４０ＭＢ、コピー機能の領域１１５ｂが３０ＭＢ、ＦＡＸ機能の領域１１５ｃが１４ＭＢ、スキャナー機能の領域１１５ｄが１６ＭＢとして割り当てられることを示している。モードＣでは、印刷機能の領域１１５ａが５５ＭＢ、コピー機能の領域１１５ｂが２３ＭＢ、ＦＡＸ機能の領域１１５ｃが１１ＭＢ、スキャナー機能の領域１１５ｄが１１ＭＢとして割り当てられることを示している。モードＤでは、印刷機能の領域１１５ａが３１ＭＢ、コピー機能の領域１１５ｂが３５ＭＢ、ＦＡＸ機能の領域１１５ｃが１７ＭＢ、スキャナー機能の領域１１５ｄが１７ＭＢとして割り当てられることを示している。
【００２７】
次に、図３を参照し、モード構成管理部１１９による新規モードの構成について説明する。なお、以下では、図２のたとえば現行モードで画像メモリー１１５の領域１１５ａ〜１１５ｄが割り当てられている状態で、それぞれの機能の使用履歴の合計が１００に達した際、システム制御部１２２の指示により、モード構成管理部１１９が新たなモードを構成する場合で説明する。
【００２８】
まず、図３（ａ）は、それぞれの機能の使用履歴の合計がたとえば１００に達した際の領域１１５ａ〜１１５ｄの（使用履歴の合計１００回に対する）使用頻度の一例を示している。すなわち、印刷機能の領域１１５ａの使用頻度が４０回、コピー機能の領域１１５ｂの使用頻度が３０回、ＦＡＸ機能の領域１１５ｃの使用頻度が１６回、スキャナー機能の領域１１５ｄの使用頻度が１４回であるとする。ここで、モード構成管理部１１９は、それぞれの領域１１５ａ〜１１５ｄの使用頻度を元に、画像メモリー１１５の領域１１５ａ〜１１５ｄの新たな割り当てを示す新規モードを構成する。なお、それぞれの機能の使用履歴の合計が１００に達した後、それぞれの機能の使用履歴の合計をリセットする。つまり、モード構成管理部１１９は、それぞれの機能の使用履歴の合計で１００回ごとに、その１００回に対するそれぞれの領域１１５ａ〜１１５ｄの使用頻度を元に新たなモードを構成する。
【００２９】
なお、モード構成管理部１１９は、画像メモリー１１５の領域１１５ａ〜１１５ｄの新たな割り当てを決める場合、それぞれの領域１１５ａ〜１１５ｄの使用頻度に合う比率で新たな割り当てを決めてもよい。この場合、モード構成管理部１１９は、図３（ｂ）に示すように、画像メモリー１１５のサイズがたとえば１００ＭＢであるとき、それぞれの領域１１５ａ〜１１５ｄの使用頻度に合う比率を元にすると、印刷機能の領域１１５ａを４０ＭＢ、コピー機能の領域１１５ｂを３０ＭＢ、ＦＡＸ機能の領域１１５ｃを１６ＭＢ、スキャナー機能の領域１１５ｄを１４ＭＢとした割り当てを示す新規モードを構成できる。また、モード構成管理部１１９は、構成した新規モードを、図２のように、たとえばモードＡ〜Ｄとして管理する。
【００３０】
なお、モード構成管理部１１９は、使用頻度に合わせた比率を求め、さらに使用頻度の最も低い領域の比率の一部を、使用頻度の最も高い領域の比率に加えて変更した比率で、新たな割り当てを決めてもよい。すなわち、使用頻度の最も高い領域１１５ａに対しては、たとえば４２ＭＢとなるような比率で割り当て、使用頻度の最も低い領域１１５ｄに対しては、たとえば１２ＭＢとなるような比率で割り当ててもよい。このように、使用頻度の最も高い領域１１５ａをさらに広げることで、たとえば印刷ジョブの処理能力のさらなる向上が可能となる。
【００３１】
次に、図４を参照し、画像メモリー１１５の領域１１５ａ〜１１５ｄの割り当て処理について説明する。なお、以下では、それぞれの機能の使用履歴の合計がたとえば１００に達した際、システム制御部１２２がモード構成管理部１１９に対して新規モードの構成を指示するものとして説明する。また、システム制御部１２２がモード構成管理部１１９に対して新規モードの構成を指示するタイミングは、たとえばモード選択画面１０５Ａの表示が指示されたときとする。また、それぞれの機能の使用履歴は、ＥＥＰＲＯＭ１１６に記憶されているとする。
【００３２】
（ステップＳ１０１）
システム制御部１２２は、モード選択画面１０５Ａの表示が指示されたかどうかを判断する。
この場合、システム制御部１２２は、パネル操作制御部１２０からのパネル部１０５を介してのモード選択画面１０５Ａの表示の指示を受け付けたことを示す通知が無ければ、モード選択画面１０５Ａの表示が指示されないと判断する（ステップＳ１０１：Ｎｏ）。
これに対し、システム制御部１２２は、パネル操作制御部１２０からのパネル部１０５を介してのモード選択画面１０５Ａの表示の指示を受け付けたことを示す通知が有れば、モード選択画面１０５Ａの表示が指示されたと判断し（ステップＳ１０１：Ｙｅｓ）、ステップＳ１０２に移行する。
【００３３】
（ステップＳ１０２）
システム制御部１２２は、使用履歴の合計が一定数に達したかどうかを判断する。
この場合、システム制御部１２２は、ＥＥＰＲＯＭ１１６に記憶されている使用履歴を参照し、使用履歴の合計が一定数（たとえば１００）に達していないと判断すると（ステップＳ１０２：Ｎｏ）、ステップＳ１０５に移行する。
これに対し、システム制御部１２２は、ＥＥＰＲＯＭ１１６に記憶されている使用履歴を参照し、使用履歴の合計が一定数（たとえば１００）に達していると判断すると（ステップＳ１０２：Ｙｅｓ）、ステップＳ１０３に移行する。
【００３４】
（ステップＳ１０３）
システム制御部１２２は、モード構成管理部１１９に対し、新規モードの構成を指示する。
この場合、システム制御部１２２は、ＥＥＰＲＯＭ１１６に記憶されている使用履歴から、画像メモリー１１５のそれぞれの領域１１５ａ〜１１５ｄの使用頻度を求め、モード構成管理部１１９に与える。
ここで、システム制御部１２２は、図３（ａ）に示したように、印刷機能の領域１１５ａの使用頻度が４０回、コピー機能の領域１１５ｂの使用頻度が３０回、ＦＡＸ機能の領域１１５ｃの使用頻度が１６回、スキャナー機能の領域１１５ｄの使用頻度が１４回であることを確認する。
また、モード構成管理部１１９は、図３（ｂ）に示したように、画像メモリー１１５のサイズがたとえば１００ＭＢである場合、それぞれの領域１１５ａ〜１１５ｄの使用頻度を元に、印刷機能の領域１１５ａを４０ＭＢ、コピー機能の領域１１５ｂを３０ＭＢ、ＦＡＸ機能の領域１１５ｃを１６ＭＢ、スキャナー機能の領域１１５ｄを１４ＭＢとした割り当てを示す新規モードを構成する。また、モード構成管理部１１９は、構成した新規モードを、図２のように、たとえばモードＡ〜Ｄとして管理する。
【００３５】
（ステップＳ１０４）
システム制御部１２２は、新規モードの構成が完了したかどうかを判断する。
この場合、システム制御部１２２は、モード構成管理部１１９からの新規モードの構成が完了したことを示す通知が無ければ新規モードの構成が完了していないと判断する（ステップＳ１０４：Ｎｏ）。
これに対し、システム制御部１２２は、モード構成管理部１１９からの新規モードの構成が完了したことを示す通知が有れば新規モードの構成が完了したと判断し（ステップＳ１０４：Ｙｅｓ）、ステップＳ１０５に移行する。
【００３６】
（ステップＳ１０５）
システム制御部１２２は、モード選択画面１０５Ａを表示させる。
この場合、システム制御部１２２は、モード構成管理部１１９が管理しているモードに基づき、パネル操作制御部１２０を介し、パネル部１０５にモード選択画面１０５Ａを表示させる。
【００３７】
（ステップＳ１０６）
システム制御部１２２は、モードが選択されたかどうかを判断する。
この場合、システム制御部１２２は、パネル操作制御部１２０からのパネル部１０５を介してのモード選択画面１０５Ａでのモードが選択されたことを示す通知が無ければ、モードが選択されないと判断する（ステップＳ１０６：Ｎｏ）。
これに対し、システム制御部１２２は、パネル操作制御部１２０からのパネル部１０５を介してのモード選択画面１０５Ａでのモードが選択されたことを示す通知が有れば、モードが選択されたと判断し（ステップＳ１０６：Ｙｅｓ）、ステップＳ１０７に移行する。
【００３８】
（ステップＳ１０７）
システム制御部１２２は、メモリー管理部１１８に対し、選択されたモードでの割り当てを指示する。
このとき、メモリー管理部１１８は、システム制御部１２２から図２に示したたとえばモードＡでの割り当ての指示を受け取ると、画像メモリー１１５に対し、印刷機能の領域１１５ａが４２ＭＢ、コピー機能の領域１１５ｂが３０ＭＢ、ＦＡＸ機能の領域１１５ｃが１６ＭＢ、スキャナー機能の領域１１５ｄが１２ＭＢとした割り当てを行う。
【００３９】
なお、以上の処理において、モード構成管理部１１９は、特定のユーザーの使用履歴を対象としてモードを構成しているが、複数のユーザー毎の使用履歴を対象とし、それぞれのユーザー毎のモードを構成してもよい。この場合、ユーザー毎の使用履歴をそれぞれのユーザーのユーザーＩＤ等のユーザー識別情報に紐付けてＥＥＰＲＯＭ１１６に記憶させ、ＭＦＰ１００のログイン時に受け付けたユーザー識別情報に該当する使用履歴を対象とすることで、ユーザー毎の使用履歴から求めた画像メモリー１１５のそれぞれの領域１１５ａ〜１１５ｄの使用頻度に合わせたモードを構成できる。
【００４０】
また、システム制御部１２２は、モード選択画面１０５Ａの表示が指示された後のステップＳ１０２で、使用履歴の合計が一定数に達したという条件を満たせば新規モードの構成を指示しているが、この例に限らず、他の特定の条件を満たせば、新規モードの構成を指示してもよい。例えば、システム制御部１２２は、ＭＦＰ１００の電源がＯＦＦモードからＯＮモードに移行したという条件を満たせば、新規モードの構成を指示してもよい。この場合、モード構成管理部１１９は、前回のＯＮモードからＯＦＦモードに移行するまでのそれぞれの機能の使用履歴の合計に対する領域１１５ａ〜１１５ｄの使用頻度を元に新規モードを構成してもよい。また、システム制御部１２２は、前回の一定期間経過時から更に一定期間が経過したという条件を満たせば、つまり一定期間毎（たとえば１ヶ月毎、３ヶ月毎、６ヶ月毎等）に新規モードの構成を指示してもよい。この場合、モード構成管理部１１９は、一定期間中のそれぞれの機能の使用履歴の合計に対する領域１１５ａ〜１１５ｄの使用頻度を元に新規モードを構成してもよい。
【００４１】
このように、本実施形態では、モード構成管理部１１９により、それぞれ異なる機能毎に使用する画像メモリー１１５の領域の割り当てを示すモードを構成し、パネル部１０５により、モードのモード選択画面１０５Ａを表示し、メモリー管理部１１８により、モード選択画面１０５Ａで選択されたモードに基づき、画像メモリー１１５に対して領域を割り当て、ＥＥＰＲＯＭ１１６（記憶デバイス）により、機能毎の使用履歴を記憶し、システム制御部１２２により、たとえば使用履歴の合計が一定数に達すると、使用履歴から求めた領域毎の使用頻度をモード構成管理部１１９に与え、新規モードの構成を指示する。また、モード構成管理部１１９は領域毎の使用頻度を元に、領域の新たな割り当てを示す新規モードを構成し、システム制御部１２２は新規モードをモード選択画面に表示させる。
【００４２】
このように、モード構成管理部１１９が領域毎の使用頻度を元に、領域の新たな割り当てを示す新規モードを構成することで、たとえば特定の機能の使用が集中し、その特定の機能で使用される画像メモリーの領域の使用頻度が高くなっている場合、使用頻度が高くなっている領域を広げるように画像メモリーの領域の割り当てを変更できるので、ジョブの処理能力をさらに向上させることができる。
【００４３】
なお、本実施形態では、電子機器をＭＦＰ１００に適用させた場合で説明したが、プリンターや複合機等の他の画像形成装置に適用してもよいし、ＰＣ(personal computer)やスマートフォン等の端末に適用してもよい。
【符号の説明】
【００４４】
１００  ＭＦＰ
１０１  スキャナー部
１０２  プリンター部
１０３  ＦＡＸ部
１０４  Ｉ／Ｆ
１０５  パネル部
１０６  ＨＤＤ
１０５Ａ  モード選択画面
１０５ａ〜１０５ｆ  表示領域
１１０  制御部
１１１  スキャナー制御部
１１２  プリンター制御部
１１３  ＦＡＸ制御部
１１４  通信制御部
１１５  画像メモリー
１１５ａ〜１１５ｄ  領域
１１６  ＥＥＰＲＯＭ
１１７  画像処理部
１１８  メモリー管理部
１１９  モード構成管理部
１２０  パネル操作制御部
１２１  ＨＤＤ制御部
１２２  システム制御部
１２３  データバス
【図１】
2019036905.tif 000003
【図２】
2019036905.tif 000004
【図３】
2019036905.tif 000005
【図４】
2019036905.tif 000006